(57)【特許請求の範囲】
【請求項１】
スポーツバンドであって、
使用者の身体に着用できるように一側が開放されて曲率を持つように形成され、開放側の両端にスポーツ種目のうち特定のスポーツを表す形状に相応する形状を有する表現部が形成される本体；及び
前記表現部の外側面に前記特定スポーツを表す形状が表示される表現層；
を含み、
前記本体は、
金属材質からなる金属層；
前記金属層の内側面と外側面にそれぞれ接着され、使用者の身体に接触可能になる接触層；
前記接触層のうち外側に位置する接触層の外側面に、その保護のために形成される保護層；及び
前記金属層と前記接触層の縁に、これらの接着力を高めると共にギャップの形成を抑えるために設けられる接着剤層；
を含むことを特徴とするスポーツバンド。
【請求項２】
前記接触層は、
天然革、合成革、ポリウレタン、ゴム、繊維のうちいずれかまたはこれらの組合からなることを特徴とする、請求項１に記載のスポーツバンド。
【請求項３】
前記表現層は、
天然革、合成革、ポリウレタン、ゴム、繊維に前記特定のスポーツを表す形状が、刺繍、印刷、陽刻、陰刻のうちいずれかの方法により表現されることを特徴とする、請求項１に記載のスポーツバンド。
【請求項４】
前記表現層は、
前記特定のスポーツを表す形状がサッカーボールの一部または全部であることを特徴とする、請求項３に記載のスポーツバンド。
【請求項５】
前記本体は、
身体に磁場が及ぶように両端の内側に磁石が対向するように設けられることを特徴とする、請求項１に記載のスポーツバンド。  
【発明の詳細な説明】
【技術分野】
【０００１】
本発明は、スポーツバンドに関するものであり、より詳細には、サッカーをはじめスポーツ用として用いることができ、これにより、着用者のスポーツに対する熱意及びスポーツとの一体感を表現でき、日常生活での着用感はもちろんスポーツ競技中にも優れた着用感を与えるスポーツバンドに関するものである。
【背景技術】
【０００２】
一般に、アクセサリ装身具は、着用者の身体に取り付けて、装飾効果を与えると同時に自分だけの個性を表現する手段として用いられてきた。
【０００３】
かかるアクセサリ装身具には、手首に着用できるブレスレットがあるが、従来のブレスレットは、金属材または合成樹脂材などで製作され、リング状に形成されるもので、華麗な美感を表現できるようにデザインされたり、健康によい物質を発散できるように構成されたりもする。
【０００４】
しかし、従来のブレスレットは、単に手首に着用する用途のために用いられており、スポーツ用として用いるには限界があった。特に、多様化されたスポーツを表現することによりスポーツに対する熱意を表し、着用者によりスポーツとの一体感を表現し、さらに日常生活での着用感はもちろんスポーツ競技中にも優れた着用感を与える製品の開発が必要になってきた。
【０００５】
一方、上記のような必要性は、手首に着用するブレスレットのみならず、腕や足首などに着用するあらゆる装身具にも同じく適用されることである。  
【発明の概要】
【発明が解決しようとする課題】
【０００６】
本発明は、前記従来技術の問題点を解決するためのもので、その目的は、サッカーをはじめスポーツ用として用いることができ、これにより、着用者のスポーツに対する熱意及びスポーツとの一体感を表現できて、日常生活での着用感はもちろんスポーツ競技中にも優れた着用感を与えるスポーツバンドを提供することにある。
【０００７】
本発明の他の目的は、以下の実施例に対する説明から理解しやすくなるであろう。
【課題を解決するための手段】
【０００８】
前記目的を達成するために、本発明の一側面に係るスポーツバンドにおいて、使用者の身体に着用できるように一側が開放されて曲率を持つように形成され、開放側の両端にスポーツ種目のうち特定のスポーツを表す形状に相応する形状を有する表現部が形成される本体；及び前記表現部の外側面に前記特定のスポーツを表す形状が表示される表現層を含むことを特徴とするスポーツバンドがが提供される。
【０００９】
前記本体は、金属材質からなる金属層；前記金属層の内側面と外側面にそれぞれ接着され、使用者の身体に接触可能になる接触層；前記接触層のうち外側に位置する接触層の外側面に、その保護のために形成される保護層；及び前記金属層と前記接触層の縁に、これらの接着力を高めると共にギャップの形成を抑えるために設けられる接着剤層を含むことを特徴とするスポーツバンドが提供される。
【００１０】
前記接触層は、天然革、合成革、ポリウレタン、ゴム、繊維のうちいずれかまたはこれらの組合からなることを特徴とする。  
【００１１】
前記表現層は、天然革、合成革、ポリウレタン、ゴム、繊維に前記特定のスポーツを表す形状が、刺繍、印刷、陽刻、陰刻のうちいつれかの方法により表現されることを特徴とする。
【００１２】
前記表現層は、前記特定のスポーツを表す形状がサッカーボールの一部または全部であることを特徴とする。
【００１３】
前記本体は、身体に磁場が及ぶように両端の内側に磁石が対向するように設けられるとよい。
【発明の効果】
【００１４】
本発明のスポーツバンドによれば、サッカーをはじめスポーツ用として用いられるため、これにより、着用者のスポーツに対する熱意及びスポーツとの一体感を表現でき、日常生活での着用感はもちろんスポーツ競技中にも優れた着用感を与えられて、磁場による身体活力を高められる効果を奏する。
【図面の簡単な説明】
【００１５】
【図１】本発明の一実施例に係るスポーツバンドの斜視図である。
【図２】本発明の一実施例に係るスポーツバンドを別の角度で示す斜視図である。
【図３】本発明の一実施例に係るスポーツバンドの側面図である。
【図４】図３におけるＡ−Ａ’線に沿う断面図である。
【発明を実施するための形態】
【００１６】
本発明は、種々の変更を加えることができ、様々な実施例を有することができるが、特定の実施例を図面に例示して詳細に説明する。ただし、本発明は、特定の実施例に限定されるものではなく、本発明の思想及び技術範囲に含まれるすべての変更、均等物乃至代替物はいずれも本発明に含まれるものと理解しなければならなく、多様な他の形態に変形可能であって、本発明の範囲が下記実施例に限定されるものではない。
【００１７】
以下、添付した図面を参照して本発明に係る実施例を詳細に説明し、図面符号に関係なく同一または対応する構成要素は同じ参照番号を付して、これについての重複説明は省略することにする。
【００１８】
図１は、本発明の一実施例に係るスポーツバンドを示す斜視図であり、図２は、本発明の一実施例に係るスポーツバンドを他の角度で示す斜視図である。
【００１９】
図１及び図２に示すように、本発明の一実施例に係るスポーツバンド１００は、使用者の身体に着用する本体１１０と、本体１１０に設けられる表現層１２０とを含むことができる。
【００２０】
本体１１０は、使用者の身体、例えば、手首、腕、足首、太ももなどに着用できるように、一側が開放されて曲率を持つように形成され、開放側の両端にスポーツ種目のうち特定のスポーツを表す形状に相応する形状を有する表現部１１１が形成される。ここで、表現部１１１は、特定のスポーツを表す形状がボール状である場合に、ボールの外形を取り囲む円状に形成されてもよく、他に多様なスポーツ種目を表す形状に相応するように様々な形状に形成されてもよい。
【００２１】
表現層１２０は、表現部１１１の外側面に特定のスポーツを表す形状が表示されるが、天然革、合成革、ポリウレタン、ゴム、繊維に特定のスポーツを表す形状が刺繍、印刷、陽刻、陰刻のうちいずれかの方法により表現されて表現部１１１に取り付けられるとよい。
【００２２】
また、表現層１２０は、本実施例に示すように、特定のスポーツを表す形状がサッカーボールの一部または全部であってもよく、その他、別の例として、特定のスポーツを表す形状が野球ボール、バスケットボール、バレーボールなどの一部または全部であってもよい。
【００２３】
図３及び図４に示すように、本体１１０は、金属材質からなる金属層１１２と、金属層１１２の内側面と外側面にそれぞれ接着されて、使用者の身体に接触可能になる接触層１１３と、接触層１１３の外側に位置する接触層１１３の外側面に、その保護のために形成される保護層１１４と、金属層１１２と接触層１１３の縁に、これらの接着力を高めると共にギャップの形成を押さえるために設けられる接着剤層１１５とを含むことができる。
【００２４】
金属層１１２は、鉄、銅、アルミニウム、チタニウムなどの金属材質または青銅、黄銅、合金鋼などの金属合金からなってもよく、復元が許容される範囲内で変形できるように形成されるとよい。
【００２５】
接触層１１３は、接着剤を用いて金属層１１２に取り付けることができ、天然革、合成革、ポリウレタン、ゴム、繊維のうちいずれかまたはこれらの組合からなってもよく、繊維としてはベルベット、極細糸繊維などが用いられるとよい。
【００２６】
保護層１１４は、コーティング剤として透明または半透明のポリエチレンなどの液状樹脂を使用でき、表面の汚染防止のために、製造前に予め、接触層１１３を事前コーティングすることにより形成してもよく、サイン（ｓｉｇｎ）の損傷防止のために、製造後に事後的なコーティングにより形成してもよく、表現層１２０の外側面にもコーティングにより形成してもよい。
【００２７】
本体１１０は、着用される身体に磁場が及ぶように、両端の内側に磁石１１６を互いに対向するように設けてもよく、本実施例の如く、両端の内側面においてそれぞれ形成される装着溝１１７に磁石１１６を露出させて装着してもよく、別の実施例によれば、装着溝１１７の入口をキャップ（ｃａｐ）にて遮断することにより磁石１１６を内蔵させてもよい。
【００２８】
このような本発明に係るスポーツバンドの作用について説明することにする。
【００２９】
本発明に係るスポーツバンド１００は、表現層１２０により表現される特定のスポーツ、例えば、サッカーをはじめスポーツ用として使用でき、これにより、着用者のスポーツに対する熱意及びスポーツとの一体感を表現することができる。
【００３０】
また、金属層１１２により形状保持機能を有するだけでなく、接触層１１３などにより日常生活での着用感はもちろんスポーツ競技中にも優れた着用感を与え、保護層１１４と接着剤層１１５により優れた耐久性を保ち、磁石１１６の磁場により身体の活力を高めることができる。
【００３１】
以上、添付した図面を参照しながら本発明を説明したが、本発明の属する技術的思想を逸脱しない範囲内で様々な訂正及び変形が可能であることはもちろんである。したがって、本発明の範囲は説明した実施例に限定されてはならず、後述する特許請求範囲だけでなく、この特許請求範囲と均等物により定められるべきである。
【符号の説明】
【００３２】
１１０          本体
１１１          表現部
１１２          金属層
１１３          接触層
１１４          保護層
１１５          接着剤層
１１６          磁石
１１７          装着溝
１２０          表現層  
【図１】
0005839306.tif 000002
【図２】
0005839306.tif 000003
【図３】
0005839306.tif 000004
【図４】
0005839306.tif 000005